(57)【要約】【課題】回動可能な表示部の角度検知に磁気センサを用いた際、検知角度の調整を、電子機器の大型化を防止して容易に行う。【解決手段】電子機器は、電子機器本体に対して所定の方向に延びる開閉軸４５の回りに回動可能に設けられた表示装置４０を備えている。表示装置には開閉軸と平行な方向に着磁された磁石７０が配置され、自分撮りセンサ５０は、開閉軸と直交する方向における磁石による磁場に応じて、開閉軸の回りに表示装置を回動させた際の表示装置の回動角度が所定の第１の角度となったかを検知し、システム制御部３０は自分撮りセンサによる検知結果に応じてＬＣＤパネル４１の表示状態を制御する。【選択図】図５
2018092021.tif 000002
【特許請求の範囲】
【請求項１】
電子機器本体に対して所定の方向に延びる第１の軸の回りに回動可能に設けられた可動部を備える電子機器であって、
前記可動部に配置され前記第１の軸と平行な方向に着磁された磁石と、
前記第１の軸と直交する方向における前記磁石による磁場に応じて、前記第１の軸の回りに前記可動部を回動させた際の前記可動部の回動角度が所定の第１の角度となったかを検知する第１の検知部と、
前記第１の検知部による検知結果に応じて前記可動部に備えられた表示部の表示状態を制御する制御部と、
を有することを特徴とする電子機器。
【請求項２】
前記磁石および前記第１の検知部の各々は、前記第１の軸の近傍に配置されていることを特徴とする請求項１に記載の電子機器。
【請求項３】
前記第１の軸と平行な方向における前記磁石による磁場に応じて、前記第１の軸の回りに前記可動部を回動させた際の前記可動部の回動角度が第２の角度となったかを検知する第２の検知部を備え、
前記制御部は前記第１の検知部および前記第２の検知部による検知結果に応じて前記表示部の表示状態を制御することを特徴とする請求項１又は２に記載の電子機器。
【請求項４】
前記可動部は前記第１の軸に直交する方向に延びる第２の軸の回りに回動可能であり、
前記第１の軸と平行な方向における前記磁石による磁場に応じて、前記第２の軸の回りに前記可動部を回動させた際の前記可動部の回動角度が所定の第３の角度となったかを検知する第３の検知部を備え、
前記制御部は前記第１の検知部、前記第２の検知部、および前記第３の検知部による検知結果に応じて前記表示部の表示状態を制御することを特徴とする請求項３に記載の電子機器。
【請求項５】
前記第３の検知部は前記第２の検知部よりも前記第１の軸の近傍に配置されていることを特徴とする請求項４に記載の電子機器。
【請求項６】
前記電子機器本体に対して前記可動部が前記第１の軸の回りに回動されていない状態では、前記第２の検知部および前記第３の検知部は前記磁石を挟む位置に配置されていることを特徴とする請求項５に記載の電子機器。
【請求項７】
前記第１の検知部、前記第２の検知部、および前記第３の検知部は前記電子機器本体に配置されていることを特徴とする請求項６に記載の電子機器。
【請求項８】
前記第１の検知部は、前記電子機器本体において前記第１の軸上に配置されていることを特徴とする請求項１に記載の電子機器。
【請求項９】
前記磁石の形状は略円筒形状であり、その中心軸が前記第２の軸と一致することを特徴とする請求項４乃至７のいずれか１項に記載の電子機器。
【発明の詳細な説明】
【技術分野】
【０００１】
本発明は、電子機器に関し、特に、可動式の表示装置を備える電子機器に関する。
【背景技術】
【０００２】
従来、デジタルカメラやビデオカメラなどの電子機器において、電子機器本体に対して開閉又は回転可能な表示装置（表示部）を有する電子機器が知られている。このような電子機器においては、表示部の位置に応じて表示部に表示される画像の切り替えが行われる。
【０００３】
表示部の位置を検知する際には、省スペース化および非接触検知による信頼性向上などを考慮してマグネットおよび磁気センサが用いられることがある。例えば、可動部である表示部に第１および第２のマグネットを配置し、電子機器本体に第１および第２の磁気センサを備える電子機器がある（特許文献１参照）。そして、この電子機器では、第１および第２の磁気センサの出力に応じて表示部の位置（つまり、角度）を検知して当該検知した位置（角度）に応じて表示部の表示状態を切り替えるようにしている。
【先行技術文献】
【特許文献】
【０００４】
【特許文献１】特開２０１２−４２７４３号公報
【発明の概要】
【発明が解決しようとする課題】
【０００５】
ところが、特許文献に記載の電子機器では、製造過程などにおいて表示部の検知角度を変更（つまり、調整）する際、マグネットと磁気センサとの位置関係をどのように変更すれば所望の検知角度となるか分かりづらい。このため、シミュレーションなどを繰り返し行って、所望の検知角度に再度設計する必要がある。さらには、所望の検知角度に変更するため、電子機器の外装を大きくしなければならないことがある。
【０００６】
そこで、本発明の目的は、表示部の角度検知に磁気センサを用いた際、検知角度の調整を容易にできる電子機器を提供することにある。
【課題を解決するための手段】
【０００７】
上記の目的を達成するため、本発明による電子機器は、電子機器本体に対して所定の方向に延びる第１の軸の回りに回動可能に設けられた可動部を備える電子機器であって、前記可動部に配置され前記第１の軸と平行な方向に着磁された磁石と、前記第１の軸と直交する方向における前記磁石による磁場に応じて、前記第１の軸の回りに前記可動部を回動させた際の前記可動部の回動角度が所定の第１の角度となったかを検知する第１の検知部と、前記第１の検知部による検知結果に応じて前記可動部に備えられた表示部の表示状態を制御する制御部と、を有することを特徴とする。
【発明の効果】
【０００８】
本発明によれば、表示部の角度検知に磁気センサを用いた際、検知角度の調整を、電子機器の大型化を防止して容易に行うことができる。
【図面の簡単な説明】
【０００９】
【図１】本発明の実施の形態による電子機器の一例である撮像装置の外観を示す斜視図である。
【図２】図１に示す撮像装置に備えられた表示装置の回動を説明するための図である。
【図３】図１に示すカメラにおいて表示装置の表示制御を行うための制御系を示すブロック図である。
【図４】図１に示す表示装置を回動操作した際の状態の一例を説明するための斜視図である。
【図５】図１に示す表示装置を回動操作した際の状態の他の例を説明するための斜視図である。
【図６】図１に示す表示装置においてＬＣＤパネルの表示状態を説明するための図である。
【図７】図４に示す自分撮りセンサ、回転センサ、閉じセンサ、および磁石の配置を説明するための図である（その１）。
【図８】図４に示す自分撮りセンサ、回転センサ、閉じセンサ、および磁石の配置を説明するための図である（その２）。
【図９】図４に示す表示装置の動きと、自分撮りセンサ、回転センサ、および閉じセンサで検知される磁束密度との関係を説明するための図である。
【図１０】図４に示す検知センサにおける検知状態とＬＣＤパネルの表示状態との関係についてその一例を示す図である。
【発明を実施するための形態】
【００１０】
以下に、本発明の実施の形態による電子機器の一例について図面を参照して説明する。
【００１１】
図１は、本発明の実施の形態による電子機器の一例である撮像装置の外観を示す斜視図である。そして、図１（ａ）はレンズユニットを取り外した状態で前面側から示す斜視図であり、図１（ｂ）は背面側から示す斜視図である。
【００１２】
図示の撮像装置１００は、例えば、デジタルカメラ（以下単にカメラと呼ぶ）であり、カメラ１００は所謂可動式の表示装置４０（可動部）を有している。カメラ１００にはグリップ部９０が規定されており、撮影の際にはユーザーはグリップ部９０でカメラ１００を把持して撮影を行う。
【００１３】
シャッターボタン６１は撮影指示を行うための操作部である。モード切り替えスイッチ６０は各種の撮影モードなどを切り替えるための操作部である。端子カバー９１は外部機器とカメラ１００とを接続する際に用いられる接続ケーブルなどをするコネクタ（図示せず）を保護するためのカバーである。
【００１４】
メイン電子ダイヤル７１は回転操作部材であって、メイン電子ダイヤル７１を回転操作することによって、シャッター速度および絞りなど各種の設定値を変更することができる。電源スイッチ７２はカメラ１００の電源のＯＮおよびＯＦＦを切り替えるための操作部材である。サブ電子ダイヤル７３は回転操作部材であって、サブ電子ダイヤル７３の回転操作によって表示装置９０に表示される選択枠の移動および画像送りなどを行うことができる。
【００１５】
ＳＥＴボタン７６は押しボタンであって、主に選択項目の決定などに用いられる。マルチコントローラー７５は上、下、左、および右の方向に倒すことが可能である。拡大ボタン７７は、撮影モードにおけるライブビュー表示の際に拡大モードのＯＮおよびＯＦＦと拡大モードにおける拡大率の変更を行うための操作ボタンである。この拡大ボタン７７は、再生モードにおいては再生画像を拡大し、そして、拡大率を大きくする場合にも用いられる。
【００１６】
再生ボタン７８は撮影モードと再生モードとを切り替えるための操作ボタンである。撮影モードの際に、再生ボタン７８を押下することによってカメラ１００は再生モードに移行する。ＬＶレバー９２は静止画撮影モードと動画撮影モードとの切り替えを行うための操作部材である。ＬＶボタン９３は、静止画撮影モードにおいてライブビューのＯＮおよびＯＦＦを切り替えるためのボタンである。ＬＶボタン９３は、動画撮影モードにおいては動画撮影（記録）の開始および停止の指示に用いられる。
【００１７】
クイックリターンミラー１２は、後述するシステム制御部３０の制御に応じてアクチュエータ（図示せず）によって回動される。通信端子１０はカメラ１００が着脱可能な撮影レンズユニット（図示せず）と通信を行うための通信端子である。
【００１８】
接眼ファインダー１６を介してユーザーはフォーカシングスクリーン（図示せず）を観察することができる。これによって、ユーザーは撮影レンズレンズユニットを介してフォーカシングスクリーンに結像した光学像の焦点および構図の確認を行うことができる。蓋２０２は、カメラ１００に形成されたスロットに記録媒体（図示せず）を着脱する際な開閉される。
【００１９】
図２は、図１に示す撮像装置に備えられた表示装置の回動を説明するための図である。そして、図２（ａ）は表示装置を開いた状態で撮像装置を背面側から示す斜視図であり、図２（ｂ）は図２（ａ）に示すヒンジ部に備えられたヒンジユニットを示す図である。
【００２０】
表示装置４０（可動部）はＬＣＤパネル４１（表示部）を備えており、ヒンジ部４３に備えられたヒンジユニット８０によって開閉軸（第１の軸）４５を中心として左右方向に回動可能（開閉可能）に支持されている。さらに、表示装置４０は、開閉軸４５に直交する回転軸（第２の軸）４６を中心として上下方向に回動可能（回転可能）に支持されている。つまり、表示装置４０は２軸で回動可能に支持されている。
【００２１】
図２（ｂ）に示すように、接続プレート８２を有しており、当該接続プレート８２は表示装置４０に固定される。接続プレート８２には、回転軸４６を中心として上下方向に延びるアーム部８０ａが回転可能に取り付けられており、アーム部８０ａは回転軸４６回りに回動可能である。
【００２２】
アーム部８０ａの上端および下端にはそれぞれ脚部８１ａおよび８１ｂが取り付けられており、これら脚部８１ａおよび８１ｂは、図２（ａ）に示すカメラ１００の背面カバー１９に固定される。そして、脚部８１ａおよび８１ｂは開閉軸４５回りに回動可能である。
【００２３】
図２（ａ）に示すように、背面カバー１９の一部には凹部が形成されており、当該凹部底面は収納面４４となる。収納位置において、表示装置４０は凹部に収納されてＬＣＤパネル４１は収納面４４と対向する。
【００２４】
背面カバー１９には、係止爪４７が形成されており、表示装置４０が背面カバー１９の凹部に収納される際に表示装置４０は係止爪４７によって係止される。図示のように、収納面４４には弾性部材４８が配置されている。表示装置４０が凹部に収納されて、係止爪４７によって係止されている状態においては、弾性部材４８は圧縮状態となって、表示装置４０を係止爪４７に付勢する。
【００２５】
以下の説明では、収納面４４とＬＣＤパネル４１とが対向する状態、つまり、収納状態（図１（ｂ）に示す状態）において開閉角度を０度、回転角度を０度とする。そして、表示装置４０は開閉角度１８０度まで回動可能であり、また、図２（ａ）に示す＋方向に回転角度１８０度、−方向に回転角度９０度まで回動可能である。
【００２６】
図３は、図１に示すカメラにおいて表示装置の表示制御を行うための制御系を示すブロック図である。
【００２７】
システム制御部３０は、カメラ１００全体を制御して、画像表示およびカメラ動作などを制御する。操作部３２には前述のシャッターボタン６１およびメイン電子ダイヤル７１などが含まれる。操作部３２の操作に依ってユーザーは各種指令をシステム制御部３０に入力することができる。メモリ３３には、システム制御部３０で動作する制御プログラムなどが記憶される。自分撮りセンサ（第１の検知部）５０、回転センサ（第３の検知部）５１、および閉じセンサ（第２の検知部）５２は、後述するように、表示装置４０の動作状態を検知するためのセンサである。
【００２８】
図４は、図１に示す表示装置を回動操作した際の状態の一例を説明するための斜視図である。そして、図４（ａ）は表示装置を収納した状態を示す斜視図であり、図４（ｂ）は開閉軸の回りに表示装置を回動して開いた状態を示す斜視図である。
【００２９】
また、図５は、図１に示す表示装置を回動操作した際の状態の他の例を説明するための斜視図である。そして、図５（ａ）は図４（ｂ）に示す状態から表示装置を＋方向に回転させた状態を示す斜視図であり、図５（ｂ）は図５（ａ）に示す状態から表示装置を閉じて収納した状態を示す斜視図である。
【００３０】
カメラ１００内には、前述の自分撮りセンサ５０、回転センサ５１、および閉じセンサ５２が配置されている。図示の例では、自分撮りセンサ５０、回転センサ５１、および閉じセンサ５２の各々は背面カバー１９、表示装置４０、およびヒンジ部４３を透過して見えるように示されている。
【００３１】
自分撮りセンサ５０、回転センサ５１、および閉じセンサ５２の各々には実装面に対して平行な磁場を検知する巨大な磁気抵抗（Ｇｉａｎｔ  ＭａｇｎｅｔｏＲｅｓｉｓｔａｎｃｅ：ＧＭＲ）素子が用いられる。さらに、表示装置４０内にはこれらセンサを反応させるための磁石（マグネット）７０が配置されている。図示の例では、磁石７０は表示装置４０を透過して見えるように示されている。
【００３２】
図４（ａ）に示す状態において、自分撮りセンサ５０は開閉軸４５上（第１の軸上）に位置づけられている。磁石７０は回転軸４６上に位置づけられ、回転センサ５１および閉じセンサ５２は磁石７０を挟むように位置づけられている。
【００３３】
図４（ａ）に示す状態においては、表示装置４０はＬＣＤパネル４１が収納面４４と対向する状態で背面カバー１９に収納されている（この状態では、開閉角度＝０度、回転角度＝０度である）。この状態においては、閉じセンサ５２によって磁石７０の磁束（つまり、磁場）が検知される。つまり、閉じセンサ５２によって表示装置４０が閉じ状態であることが検知される。そして、表示装置４０が閉じ状態であると、システム制御部３０はＬＣＤパネル４１を消灯する。
【００３４】
図４（ａ）に示す状態から、開閉軸４５を中心として表示装置４０を開くと、開度（回動角度）が所定の角度において閉じセンサ５２によって磁石７０の磁場が検知しなくなる。つまり、閉じセンサ５１によって表示装置４０が閉じ状態であることが検知されなくなる。そして、表示装置４０が閉じ状態であることが検知されないと、システム制御部３０はＬＣＤパネル４１を点灯する。
【００３５】
開閉軸４５を中心として表示装置４０を完全に開くと（この状態では、開閉角度＝１８０度、回転角度＝０度である）、表示装置４０は図４（ｂ）に示す状態となる。以下、図４（ｂ）に示す状態におけるＬＣＤパネル４１の表示状態を通常状態と呼ぶ。
【００３６】
図６は、図１に示す表示装置においてＬＣＤパネルの表示状態を説明するための図である。そして、図６（ａ）は第１の表示状態を示す図であり、図６（ｂ）は第２の表示状態を示す図である。また、図６（ｃ）は第３の表示状態を示す図である。
【００３７】
ＬＣＤパネル４１が通常状態である場合には、例えば、図６（ａ）に示す状態で画像が表示される。
【００３８】
図４（ｂ）に示す状態から回転軸４６を中心として表示装置４０を図２で示す＋方向に回転させると、回転角度が所定の角度となると、自分撮りセンサ５０および回転センサ５１は磁石７０の磁場を検知する。さらに表示装置４０を＋方向に回転させると、図５（ａ）に示すように、表示装置４０は＋１８０度回転した状態となる（この状態では、開閉角度＝１８０度、回転角度＝＋１８０度である）。
【００３９】
自分撮りセンサ５０および回転センサ５１が磁石７０の磁場を検知している状態では、ＬＣＤパネル４１の表示状態は図６（ｂ）に示す状態となる。つまり、自分撮りセンサ５０および回転センサ５１が磁石７０の磁場を検知している状態では、システム制御部３０はＬＣＤパネル４１の表示状態を通常状態から上下が反転した状態とする。これによって、被写体側から見て鏡像表示となるので、ユーザ（撮影者）が自分撮りを行う場合に適した表示となる。
【００４０】
図５（ａ）に示す状態から開閉軸４５を中心として表示装置４０を閉じると、開閉角度が所定の角度において自分撮りセンサ５０は磁石７０の磁場を検知しなくなり、回転センサ５１のみが磁石７０の磁場を検知する状態となる。さらに、表示装置４０を閉じると、図５（ｂ）に示すように、ＬＣＤパネル４１がユーザーに見える状態で表示装置４０は背面カバー１９の凹部に収納される（この状態では、開閉角度＝０度、回転角度＝＋１８０度である）。
【００４１】
回転センサ５１のみによって磁石７０の磁場が検知された状態では、ＬＣＤパネル４１は図６（ｃ）に示す表示状態となる。つまり、システム制御部３０はＬＣＤパネル４１の表示状態を通常状態から上下左右が反転した表示状態とする。これによって、カメラ１００は、恰も背面側にＬＣＤパネル４１が向けられた状態の表示装置４０を有するカメラと同様となる。
【００４２】
このようにして、システム制御部３０は、自分撮りセンサ５０、回転センサ５１、および閉じセンサ５２による検知結果に応じてＬＣＤパネル５１の表示状態を制御する。
【００４３】
ここで、自分撮りセンサ５０、回転センサ５１、閉じセンサ５２、および磁石７０の配置についてさらに説明する。
【００４４】
図７および図８は、図４に示す自分撮りセンサ、回転センサ、閉じセンサ、および磁石の配置を説明するための図である。そして、図７（ａ）はは開閉角度が０度で、回転角度が＋１８０度の状態を示す斜視図であり、図７（ｂ）は図７（ａ）に破線で示す範囲において自分撮りセンサ、回転センサ、閉じセンサ、および磁石を拡大して示す図である。また、図８（ａ）は図７（ｂ）に示すＸＹ平面に垂直な方向からみた図であり、図８（ｂ）は図７（ｂ）に示すＸＺ平面に垂直な方向からみた図である。
【００４５】
図７（ａ）に示す状態において、破線で示す範囲１０１が拡大された図７（ｂ）に示されている。図７（ｂ）においては、磁石７０は上側がＳ極であり、下側がＮ極であり、Ｙ方向に着磁されている。自分撮りセンサ５０、回転センサ５１、および閉じセンサ５２はＦＰＣ（フレキシブルプリント基板）５３に実装されている。そして、ＦＰＣ５３は樹脂部品５４に両面テープによって貼り付けられている。樹脂部品５４はビスなどによって背面カバー１９に固定されている。
【００４６】
図示のように、磁石７０の中心軸と表示装置４０の回転軸４６とは一致している。これによって、図４（ａ）で説明した開閉角度＝０度、回転角度＝０度の状態では、図７（ａ）に示す状態に対して磁石７０のＳ極およびＮ極の位置が入れ替わるが、磁石７０の位置は変化しない。
【００４７】
磁石７０を小型化して、自分撮りセンサ５０、回転センサ５１、および閉じセンサ５２を近接した配置してＦＰＣ５３の実装面積を減少させるためには、磁石７０を可能な限り開閉軸４５および回転軸４６に近い位置に配置することが望ましい。なお、ここでは、ＬＣＤパネル４１に接続される細線同軸を通すため、磁石７０はその中心に穴が形成された略円筒形状としたが、磁石７０の形状は図示の例には限定されない。
【００４８】
図８（ｂ）に示すように、樹脂部品５４において自分撮りセンサ５０の貼り付け面には傾斜θが形成されており、自分撮りセンサ５０は傾斜した状態で貼り付け面に取り付けられる。これによって、自分撮りセンサ５０はＸＺ面内において所定の傾きθを有する方向（図８（ｂ）に示す矢印５５の方向）の磁場を検知する。また、自分撮りセンサ５０で磁場検知する際の測定中心は、表示装置４０の開閉軸４５上に配置される。これによって、後述するように、自分撮り検知角度の調整が容易となる。
【００４９】
さらに、自分撮りセンサ５０で磁場検知する際の測定中心は、回転軸４６から所定の距離＋Ｙ方向に離れた位置とされる。当該所定の距離は、表示装置４０が図５（ａ）に示す状態の場合に磁石７０の磁束密度がＸＺ平面内の方向において比較的強い距離である。なお、所定の距離は自分撮りセンサ５０の検知閾値を考慮して決定される。
【００５０】
回転センサ５１は、＋Ｙ方向（図７（ｂ）において矢印５６で示す方向）の磁場を検知するように配置される。回転センサ５１による磁場検知の際には、その測定中心が開閉軸４５近傍となることが望ましい。これによって、表示装置４０の開閉角度が変化して磁石７０が移動した場合においても、回転センサ５１による磁場検知の測定中心と磁石７０の距離とが一定に保たれる。その結果、表示装置４０の開閉角度に起因する回転検知に対する影響を低減することができる。
【００５１】
さらに、表示装置４０が回転角度＋１８０度の状態の場合に、回転センサ５１は磁石７０と同一のＹ方向の位置に位置することが望ましい。これによって、回転センサ５１は磁石７０による＋Ｙ方向の磁束密度を強く受ける位置となる。
【００５２】
閉じセンサ５２は−Ｙ方向（図７（ｂ）において矢印５７で示す方向）の磁場を検知するように配置される。閉じセンサ５２における磁場検知の測定中心は、表示装置４０が回転角度０度の状態の場合に、磁石７０と同一のＹ方向の位置に位置することが望ましい。これによって、閉じセンサ５２は磁石７０による−Ｙ方向の磁束密度を強く受ける位置となる。
【００５３】
さらに、閉じセンサ５２による磁場検知の測定中心は、開閉軸４５から所定の距離−Ｘおよび＋Ｚ方向に離れた位置とされる。当該所定の距離は、表示装置４０が図４（ａ）に示す状態の場合に、磁石７０による磁束密度がＸＹ平面内の方向に比較的強く距離である。なお、所定の距離は閉じセンサ５２の検知閾値を考慮して決定される。
【００５４】
図９は、図４に示す表示装置の動きと、自分撮りセンサ、回転センサ、および閉じセンサで検知される磁束密度との関係を説明するための図である。そして、図９（ａ）は閉じセンサで検知される磁束密度と開閉角度との関係の一例を示す図であり、図９（ｂ）は回転センサで検知される磁束密度と回転角度との関係の一例を示す図である。また、図９（ｃ）は自分撮りセンサで検知される磁束密度と開閉角度との関係の一例を示す図であり、図９（ｄ）は回転センサで検知される磁束密度と回転角度との関係の他の例を示す図である。
【００５５】
図９（ａ）には、表示装置４０を図４（ａ）に示す状態から図４（ｂ）に示す状態に動かした際の閉じセンサ５２で検知される磁束密度の変化が示されている。なお、図９（ａ）には閉じセンサ５２に係る検知閾値が閉じセンサ閾値として示されている。
【００５６】
いま、表示装置４０を図４（ａ）に示す状態から図４（ｂ）に示す状態、つまり、回転角度を０度に固定して開閉角度を０度から１８０度とする。この際、開閉角度＝１０度付近において磁石７０による磁束密度は閉じセンサ閾値未満となって、閉じセンサ５２はＯＦＦとなる。
【００５７】
図９（ｂ）には、表示装置４０を図４（ｂ）に示す状態から図５（ａ）に示す状態に動かした際の回転センサ５１で検知される磁束密度の変化が示されている。なお、図９（ｂ）には回転センサ５１に係る検知閾値が回転センサ閾値として示されている。
【００５８】
いま、表示装置４０を図４（ｂ）に示す状態から図５（ａ）に示す状態、つまり、開閉角度を１８０度に固定して回転閉角度を０度から＋１８０度とする。この際、回転角度＝＋１６５度付近において磁石７０による磁束密度は回転センサ閾値を超えて、回転センサ５１はＯＮとなる。
【００５９】
なお、表示装置４０を逆向きに回転させて、回転角度＝−９０度とした場合には、磁石７０による磁束密度は回転センサ閾値以下であるので、回転センサ５１はＯＦＦの状態である。
【００６０】
図９（ｃ）には、表示装置４０を図５（ｂ）に示す状態から図５（ａ）に示す状態に動かした際の自分撮りセンサ５０で検知される磁束密度の変化が示されている。なお、図９（ｃ）には自分撮りセンサ５０に係る検知閾値が自分撮りセンサ閾値として示されている。
【００６１】
いま、表示装置４０を図５（ｂ）に示す状態から図５（ａ）に示す状態、つまり、回転角度を＋１８０度に固定して開閉角度を０度から１８０度とする。この際、開閉角度＝１６３度付近において磁石７０による磁束密度は自分撮りセンサ閾値を超えて、自分撮りセンサ５０はＯＮとなる。つまり、開閉角度１６３度付近において、図８（ｂ）に矢印５５で示す方向の磁束密度が自分撮りセンサ閾値を超えて、自分撮りセンサ５０はＯＮとなる。
【００６２】
一方、開閉角度＝１６３度未満において、矢印５５で示す方向の磁束密度は自分撮りセンサ閾値以下である。自分撮りセンサ５０の検知角度を変更する場合には、自分撮りセンサ５０が取り付けられた箇所の傾斜（図８（ｂ）に示す角度θ）を変更すればよい。例えば、検知角度を１６３度付近から１７０度付近に変更する場合には、図８（ｂ）に示す傾斜角θを大きくすればよい。つまり、自分撮りセンサ５０の測定中心位置を変更することなく、磁場の検知方向をＸＺ面内において約７度回転させればよい。
【００６３】
この結果、自分撮りセンサ５０の検知角度を所望の角度に変更する際には、シミュレーションなどを行うことなく、直感的にしかも容易に設計変更を行うことができる。さらには、自分撮りセンサ５０の位置を動かすことなく、取り付け傾斜を変更すればよいので、例えば、カメラの外装が膨らむなどカメラ外装を大型化する必要がない。
【００６４】
図９（ｄ）には、表示装置４０を図５（ｂ）に示す状態から図５（ａ）に示す状態に動かした際の回転センサ５１で検知される磁束密度の変化が示されている。
【００６５】
表示装置４０を図５（ｂ）に示す状態から図５（ａ）に示す状態、つまり、回転角度を＋１８０度に固定して開閉角度を０度から１８０度とする。この際、開閉角度に拘わらず、磁石７０による磁束密度は回転センサ閾値を超えて、回転センサ５１はＯＮの状態となる。
【００６６】
前述のように、磁石７０の着磁方向と回転センサ５１による磁場検知の方向との関係が表示装置４０の開閉によって変化しにくい位置に磁石７０および回転センサ５１を配置している。これによって、開閉角度に拘わらず、磁石７０による磁束密度は回転センサ閾値を超えて、回転センサ５１はＯＮの状態となる。
【００６７】
図１０は、図４に示す検知センサにおける検知状態とＬＣＤパネルの表示状態との関係についてその一例を示す図である。
【００６８】
表示装置４０が図４（ａ）および図４（ｂ）に示す状態の場合には、前述のように、自分撮りセンサ５０および回転センサ５１はＯＦＦである。この際、図４（ａ）に示す状態では、閉じセンサ５２がＯＮとなり、システム制御部３０はＬＣＤパネル４１を消灯する。一方、図４（ｂ）に示す状態では、閉じセンサ５２がＯＦＦとなり、システム制御部３０は、撮像素子（図示せず）で得られた画像を通常状態でＬＣＤパネル４１に表示する。
【００６９】
図５（ａ）に示す状態の場合には、前述のように、自分撮りセンサ５０および回転センサ５１はＯＮであり、閉じセンサ５２はＯＦＦである。この状態では、システム制御部３０は撮像素子で得られた画像を上下反転した状態でＬＣＤパネル４１に表示する。つまり、システム制御部３０は撮影者による自分撮りに適した表示を行う。
【００７０】
図５（ｂ）に示す状態の場合には、前述のように自分撮りセンサ５０および閉じセンサ５２がＯＦＦとなり、回転センサ５１はＯＮとなる。この状態では、システム制御部３０は撮像素子で得られた画像を上下および左右反転した状態でＬＣＤパネル４１に表示する。この際には、ユーザーは背面に固定された表示装置を有するカメラと同様の仕様感覚となる。
【００７１】
なお、図１０においては、自分撮りセンサ５０がＯＮで、回転センサ５１がＯＦＦの場合について図示されていないが、この場合には表示装置４０は開閉角度＝１７０度、回転角度＝１６０度などの位置にある。つまり、このような開閉角度および回転角度の状態でＬＣＤパネル４１を見つつ撮影を行うケースはほとんどない。よって、この場合には、システム制御部３０は前述のように通常状態で画像をＬＣＤパネル４１に表示する。
【００７２】
このように、本発明の実施の形態では、自分撮りセンサ５０と磁石７０との配置関係（レイアウト）によって、ユーザーは自分撮り検知角度を直感的にかつ容易に変更することができる。さらに、自分撮りセンサ５０、回転センサ５１、および閉じセンサ５２について磁石７０を共通で用いることができる結果、カメラを小型および軽量化することができる。
【００７３】
また、磁石７０を、表示装置４０の開閉軸４５および回転軸４６近傍に配置したので、自分撮りセンサ５０、回転センサ５１、および閉じセンサ５２を互いに近接して配置することができる。その結果、ＦＰＣ５３に対する実装面積が小さくすることができ、部品点数を削減して配線効率が向上する。
【００７４】
以上、本発明の好ましい実施形態について説明したが、本発明はこれらの実施形態に限定されず、その要旨の範囲内で種々の変形及び変更が可能である。
【符号の説明】
【００７５】
３０  システム制御部
４０  表示装置
４１  ＬＣＤパネル
４３  ヒンジ部
４５  開閉軸
４６  回転軸
５０  自分撮りセンサ
５１  回転センサ
５２  閉じセンサ
７０  磁石
【図１】
2018092021.tif 000003
【図２】
2018092021.tif 000004
【図３】
2018092021.tif 000005
【図４】
2018092021.tif 000006
【図５】
2018092021.tif 000007
【図６】
2018092021.tif 000008
【図７】
2018092021.tif 000009
【図８】
2018092021.tif 000010
【図９】
2018092021.tif 000011
【図１０】
2018092021.tif 000012